【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
モバイルデバイスによって位置支援データを処理するための方法であって、
位置決めサーバから物理的なアクセスポイント（ＡＰ）に関する一意の識別子と１つまたは複数の仮想ＡＰに関する一意の識別子のリストとを含む仮想アクセスポイント（ＶＡＰ）データを受信することと、前記ＶＡＰデータは、前記リストに含まれている前記１つまたは複数の仮想ＡＰに関する前記一意の識別子が前記物理的なＡＰから生じる信号を識別することを示し、前記ＶＡＰデータは、
前記物理的なＡＰのＡＰ基本メディアアクセス制御（ＭＡＣ）アドレスを表すフィールドと、
前記物理的なＡＰに属するそれぞれの仮想ＡＰに対応するＡＰ  ＭＡＣアドレスを表す他のフィールドと、
を備え、前記他のフィールドは、前記物理的なＡＰに属する仮想ＡＰの数に対応する回数繰り返す、
前記モバイルデバイスの場所を決定することと、ここにおいて、前記モバイルデバイスは前記場所を決定するときに前記ＶＡＰデータを使用する、
を備える方法。
【請求項２】
位置決めサーバに位置支援データ要求メッセージを送信することをさらに備える請求項１に記載の方法。
【請求項３】
前記要求メッセージは、前記モバイルデバイスの緯度、経度、および高度を含む大まかな位置を含む、請求項２に記載の方法。
【請求項４】
前記要求メッセージは、前記モバイルデバイスが位置する現場の現場ＩＤを含む、請求項２に記載の方法。
【請求項５】
前記要求メッセージは、前記モバイルデバイスのＷｉＦｉスキャンリストを含む、請求項２に記載の方法。
【請求項６】
前記一意の識別子はメディアアクセス制御（ＭＡＣ）アドレスである、請求項１に記載の方法。
【請求項７】
前記モバイルデバイスの前記場所を決定することは、前記リストに含まれている一意の識別子によって識別される信号を能動的にスキャンすることと、前記リストにさらに含まれている異なる一意の識別子によって識別される異なる信号を能動的にスキャンしないこととを含む、請求項１に記載の方法。
【請求項８】
前記モバイルデバイスの前記場所を決定することは、複数の信号に関して対応する信号測定値を平均することによって、前記ＡＰに関する信号特性を計算することを含み、各信号は、前記リストに含まれている異なる一意の識別子に関連する、請求項１に記載の方法。
【請求項９】
前記信号特性は、信号強度、距離、または両方の組合せを含む、請求項８に記載の方法。
【請求項１０】
前記リストに含まれている前記一意の識別子に関連する１つまたは複数のヒートマップを含む支援データ（ＡＤ）を受信することをさらに備える請求項１に記載の方法。
【請求項１１】
前記１つまたは複数のヒートマップは、前記リストに含まれている前記一意の識別子の各々に関連するオフセットとともにベースラインヒートマップを含む、請求項１０に記載の方法。
【請求項１２】
前記モバイルデバイスの前記場所を決定することは、現場ディスアンビギュエーションを含む、請求項１に記載の方法。
【請求項１３】
前記モバイルデバイスが検出するＡＰビーコンを受動的にスキャンすることと、
前記モバイルデバイスが検出する前記ＡＰビーコンに基づいて、前記モバイルデバイスが特定の場所コンテキスト識別子に関連する領域にあることを決定することと
をさらに備える請求項１２に記載の方法。
【請求項１４】
前記現場ディスアンビギュエーションは、いくつかの一意の識別子ではなく、基準を満たすいくつかのＡＰに基づく、請求項１２に記載の方法。
【請求項１５】
前記位置決めサーバからメディアアクセス制御（ＭＡＣ）アドレスのリストを受信することと、
ＭＡＣアドレスの前記受信されたリストにあり、前記モバイルデバイスによって使用されるＭＡＣアドレスを識別することと、
前記位置支援データに対して、前記受信されたリストのＭＡＣアドレスの１つのみをスキャンし、前記受信されたリストの他のＭＡＣアドレスのいずれもスキャンしないことと
をさらに備える請求項１に記載の方法。
【請求項１６】
前記一意の識別子のリストにあり、前記モバイルデバイスによって観測される１つまたは複数のメディアアクセス制御（ＭＡＣ）アドレスを識別することと、ここにおいて、前記一意の識別子のリストの前記一意の識別子はＭＡＣアドレスである、
前記一意の識別子のリストの前記ＭＡＣアドレスの１つまたは複数に関連する前記ＡＰから受信された信号で測距を実行するあるいは当該信号の強度の測定を実行するが、前記一意の識別子のリストのＭＡＣアドレスのすべてをスキャンするのではないことと、
をさらに備える請求項１に記載の方法。
【請求項１７】
前記ＶＡＰデータは、前記物理的なＡＰに属する仮想ＡＰの前記数を示すＮＵＭ  ＭＡＣフィールドをさらに備える、請求項１に記載の方法。
【請求項１８】
モバイルデバイスであって、
メモリと、
前記メモリに結合され、
位置決めサーバから物理的なアクセスポイント（ＡＰ）に関する一意の識別子と１つまたは複数の仮想ＡＰに関する一意の識別子のリストとを含む仮想アクセスポイント（ＶＡＰ）データを受信することと、前記ＶＡＰデータは、前記リストに含まれている前記１つまたは複数の仮想ＡＰに関する前記一意の識別子が前記物理的なＡＰから生じる信号を識別することを示し、前記ＶＡＰデータは、
前記物理的なＡＰのＡＰ基本メディアアクセス制御（ＭＡＣ）アドレスを表すフィールドと、
前記物理的なＡＰに属するそれぞれの仮想ＡＰに対応するＡＰ  ＭＡＣアドレスを表す他のフィールドと、
を備え、前記他のフィールドは、前記物理的なＡＰに属する仮想ＡＰの数に対応する回数繰り返す、
前記モバイルデバイスの場所を決定することと、
を行うように構成されたプロセッサと、ここにおいて、前記プロセッサは前記場所を決定するときに前記ＶＡＰデータを使用する、
を備えるモバイルデバイス。
【請求項１９】
前記プロセッサは、位置決めサーバに位置支援データ要求を送信することを前記モバイルデバイスに行わせるようにさらに構成される、請求項１８に記載のモバイルデバイス。
【請求項２０】
前記要求メッセージは、前記モバイルデバイスの緯度、経度、および高度を含む大まかな位置を含む、請求項１９に記載のモバイルデバイス。
【請求項２１】
前記要求メッセージは、前記モバイルデバイスが位置する現場の現場ＩＤを含む、請求項１９に記載のモバイルデバイス。
【請求項２２】
前記要求メッセージは、前記モバイルデバイスのＷｉＦｉスキャンリストを含む、請求項１９に記載のモバイルデバイス。
【請求項２３】
前記一意の識別子はメディアアクセス制御（ＭＡＣ）アドレスである、請求項１８に記載のモバイルデバイス。
【請求項２４】
前記モバイルデバイスの前記場所を決定することを行うように構成された前記プロセッサは、前記リストに含まれている一意の識別子によって識別される信号を能動的にスキャンすることと、前記リストにも含まれている異なる一意の識別子によって識別される異なる信号を能動的にスキャンしないこととを含む、請求項１８に記載のモバイルデバイス。
【請求項２５】
前記モバイルデバイスの前記場所を決定することを行うように構成された前記プロセッサは、複数の信号に関して対応する信号測定値を平均することによって、前記ＡＰに関する信号特性を計算することを含み、各信号は、前記リストに含まれている異なる一意の識別子に関連する、請求項１８に記載のモバイルデバイス。
【請求項２６】
前記信号特性は、信号強度、距離、または両方の組合せを含む、請求項２５に記載のモバイルデバイス。
【請求項２７】
前記プロセッサは、前記リストに含まれている前記一意の識別子に関連する１つまたは複数のヒートマップを含む支援データ（ＡＤ）を受信するようにさらに構成される、請求項１８に記載のモバイルデバイス。
【請求項２８】
前記１つまたは複数のヒートマップは、前記リストに含まれている前記一意の識別子の各々に関連するオフセットとともにベースラインヒートマップを含む、請求項２７に記載のモバイルデバイス。
【請求項２９】
前記モバイルデバイスの場所を決定することは、現場ディスアンビギュエーションを含む、請求項１８に記載のモバイルデバイス。
【請求項３０】
前記プロセッサは、
前記モバイルデバイスが検出するＡＰビーコンを受動的にスキャンすることを前記モバイルデバイスに行わせることと、
前記モバイルデバイスが検出する前記ＡＰビーコンに基づいて、前記モバイルデバイスが特定の場所コンテキスト識別子に関連する領域にあることを決定することと
を行うようにさらに構成される、請求項２９に記載のモバイルデバイス。
【請求項３１】
前記現場ディスアンビギュエーションは、いくつかの一意の識別子ではなく、基準を満たすいくつかのＡＰに基づく、請求項２９に記載のモバイルデバイス。
【請求項３２】
前記プロセッサは、
前記位置決めサーバからメディアアクセス制御（ＭＡＣ）アドレスのリストを受信することと、
ＭＡＣアドレスの前記受信されたリストにあり、前記モバイルデバイスによって使用されるＭＡＣアドレスを識別することと、
位置支援データに対して、前記受信されたリストの前記ＭＡＣアドレスの１つのみをスキャンし、前記受信されたリストの他のＭＡＣアドレスのいずれもスキャンしないことと
を行うようにさらに構成される、請求項１８に記載のモバイルデバイス。
【請求項３３】
前記プロセッサは、
前記一意の識別子のリストにあり、前記モバイルデバイスによって観測される１つまたは複数のメディアアクセス制御（ＭＡＣ）アドレスを識別することと、ここにおいて、前記一意の識別子のリストの前記一意の識別子はＭＡＣアドレスである、
前記一意の識別子のリストの前記ＭＡＣアドレスの１つまたは複数に関連する前記ＡＰから受信された信号で測距を実行するあるいは当該信号の強度の測定を実行するが、前記一意の識別子のリストの前記ＭＡＣアドレスのすべてをスキャンするのではないことと、
を行うようにさらに構成されている請求項１８に記載のモバイルデバイス。
【請求項３４】
前記ＶＡＰデータは、前記物理的なＡＰに属する仮想的なＡＰの前記数を示すＮＵＭ＿ＭＡＣフィールドをさらに備える、請求項１８に記載のモバイルデバイス。
【請求項３５】
１つまたは複数のプロセッサによって取得および実行されるために、そこに記憶されたプロセッサで実行可能な命令を備える非一時的コンピュータ可読媒体であって、前記プロセッサで実行可能な命令は、
モバイルデバイスにおいて仮想アクセスポイント（ＶＡＰ）データを受信することと、前記ＶＡＰデータは、位置決めサーバからの物理的なアクセスポイント（ＡＰ）に関する一意の識別子および一意の識別子のリストまたは１つまたは複数の仮想ＡＰを含み、前記ＶＡＰデータは、前記リストに含まれている前記１つまたは複数の仮想ＡＰに関する前記一意の識別子が前記物理的なＡＰから生じる信号を識別することを示し、前記ＶＡＰデータは、
前記物理的なＡＰのＡＰ基本メディアアクセス制御（ＭＡＣ）アドレスを表すフィールドと、
前記物理的なＡＰに属するそれぞれの仮想ＡＰに対応するＡＰ  ＭＡＣアドレスを表す他のフィールドと、
を備え、前記他のフィールドは、前記物理的なＡＰに属する仮想ＡＰの数に対応する回数繰り返す、
前記モバイルデバイスの場所を決定することと、ここにおいて、前記モバイルデバイスは前記場所を決定するときに前記ＶＡＰデータを使用する、
を行うための命令を含む、非一時的コンピュータ可読媒体。
【請求項３６】
前記プロセッサで実行可能な命令は、位置決めサーバに位置支援データ要求を送信するための命令をさらに含む、請求項３５に記載の非一時的コンピュータ可読媒体。
【請求項３７】
前記要求メッセージは、前記モバイルデバイスの緯度、経度、および高度を含む大まかな位置を含む、請求項３６に記載の非一時的コンピュータ可読媒体。
【請求項３８】
前記要求メッセージは、前記モバイルデバイスが位置する現場の現場ＩＤを含む、請求項３６に記載の非一時的コンピュータ可読媒体。
【請求項３９】
前記要求メッセージは、前記モバイルデバイスのＷｉＦｉスキャンリストを含む、請求項３６に記載の非一時的コンピュータ可読媒体。
【請求項４０】
前記一意の識別子はメディアアクセス制御（ＭＡＣ）アドレスである、請求項３５に記載の非一時的コンピュータ可読媒体。
【請求項４１】
前記モバイルデバイスの前記場所を決定するための前記命令は、前記リストにも含まれている異なる一意の識別子によって識別される異なる信号を能動的にスキャンすることなく、前記リストに含まれている一意の識別子によって識別された信号を能動的にスキャンするための命令を含む、請求項３５に記載の非一時的コンピュータ可読媒体。
【請求項４２】
前記モバイルデバイスの前記場所を決定するための前記命令は、複数の信号に関して対応する信号測定値を平均することによって、前記ＡＰに関する信号特性を計算する命令を含み、各信号は、前記リストに含まれている異なる一意の識別子に関連する、請求項３５に記載の非一時的コンピュータ可読媒体。
【請求項４３】
前記信号特性は、信号強度、距離、または両方の組合せを含む、請求項４２に記載の非一時的コンピュータ可読媒体。
【請求項４４】
前記プロセッサで実行可能な命令は、前記リストに含まれている前記一意の識別子に関連する１つまたは複数のヒートマップを含む支援データ（ＡＤ）を受信するための命令をさらに含む、請求項３５に記載の非一時的コンピュータ可読媒体。
【請求項４５】
前記１つまたは複数のヒートマップは、前記リストに含まれている前記一意の識別子の各々に関連するオフセットとともにベースラインヒートマップを含む、請求項４４に記載の非一時的コンピュータ可読媒体。
【請求項４６】
前記モバイルデバイスの場所を決定することは、現場ディスアンビギュエーションを含む、請求項３５に記載の非一時的コンピュータ可読媒体。
【請求項４７】
前記プロセッサで実行可能な命令は、前記１つまたは複数のプロセッサに、
前記モバイルデバイスが検出するＡＰビーコンを受動的にスキャンすることと、
前記モバイルデバイスが検出する前記ＡＰビーコンに基づいて、前記モバイルデバイスが特定の場所コンテキスト識別子に関連する領域にあることを決定することと
を行わせる命令をさらに含む、請求項４６に記載の非一時的コンピュータ可読媒体。
【請求項４８】
前記現場ディスアンビギュエーションは、いくつかの一意の識別子ではなく、基準を満たすいくつかのＡＰに基づく、請求項４６に記載の非一時的コンピュータ可読媒体。
【請求項４９】
前記プロセッサで実行可能な命令は、
前記位置決めサーバからメディアアクセス制御（ＭＡＣ）アドレスのリストを受信することと、
ＭＡＣアドレスの前記受信されたリストにあり、前記モバイルデバイスによって使用されるＭＡＣアドレスを識別することと、
位置支援データに対して、前記受信されたリストのＭＡＣアドレスの１つのみをスキャンし、前記受信されたリストの他のＭＡＣアドレスのいずれもスキャンしないことと
を行うための命令をさらに含む、請求項３５に記載の非一時的コンピュータ可読媒体。
【請求項５０】
前記プロセッサで実行可能な命令は、
前記一意の識別子のリストにあり、前記モバイルデバイスによって観測される１つまたは複数のメディアアクセス制御（ＭＡＣ）アドレスを識別することと、ここにおいて、前記一意の識別子のリストの前記一意の識別子はＭＡＣアドレスである、
前記一意の識別子のリストの前記ＭＡＣアドレスの１つまたは複数に関連する前記ＡＰから受信された信号で測距を実行するあるいは当該信号の強度の測定を実行するが、前記一意の識別子のリストの前記ＭＡＣアドレスのすべてをスキャンするのではないことと
を行うための命令をさらに含む、請求項３５に記載の非一時的コンピュータ可読媒体。
【請求項５１】
位置支援データを処理するように構成されたモバイルデバイスであって、
位置決めサーバから物理的なアクセスポイント（ＡＰ）に関する一意の識別子と１つまたは複数の仮想ＡＰに関する一意の識別子のリストとを含む仮想アクセスポイント（ＶＡＰ）データを受信するための手段と、前記ＶＡＰデータは、前記リストに含まれている前記１つまたは複数の仮想ＡＰに関する前記一意の識別子が前記物理的なＡＰから生じる信号を識別することを示し、前記ＶＡＰデータは、
前記物理的なＡＰのＡＰ基本メディアアクセス制御（ＭＡＣ）アドレスを表すフィールドと、
前記物理的なＡＰに属するそれぞれの仮想ＡＰに対応するＡＰ  ＭＡＣアドレスを表す他のフィールドと、
を備え、前記他のフィールドは、前記物理的なＡＰに属する仮想ＡＰの数に対応する回数繰り返す、
前記モバイルデバイスの場所を決定するための手段と、ここにおいて、前記モバイルデバイスは前記場所を決定する場合に前記ＶＡＰデータを使用する、
を備えるモバイルデバイス。
【請求項５２】
位置決めサーバに位置支援データ要求を送信するための手段をさらに備える請求項５１に記載のモバイルデバイス。
【請求項５３】
前記要求メッセージは、前記モバイルデバイスの緯度、経度、および高度を含む大まかな位置を含む、請求項５２に記載のモバイルデバイス。
【請求項５４】
前記要求メッセージは、前記モバイルデバイスが位置する現場の現場ＩＤを含む、請求項５２に記載のモバイルデバイス。
【請求項５５】
前記要求メッセージは、前記モバイルデバイスのＷｉＦｉスキャンリストを含む、請求項５２に記載のモバイルデバイス。
【請求項５６】
前記一意の識別子はメディアアクセス制御（ＭＡＣ）アドレスである、請求項５１に記載のモバイルデバイス。
【請求項５７】
前記モバイルデバイスの前記場所を決定するための前記手段は、前記リストに含まれている一意の識別子によって識別された信号を能動的にスキャンし、前記リストにも含まれている異なる一意の識別子によって識別される異なる信号を能動的にスキャンしないための手段を含む請求項５１に記載のモバイルデバイス。
【請求項５８】
前記モバイルデバイスの前記場所を決定するための前記手段は、複数の信号に関して対応する信号測定値を平均することによって、前記ＡＰに関する信号特性を計算するための手段を含み、各信号は、前記リストに含まれている異なる一意の識別子に関連する、請求項５１に記載のモバイルデバイス。
【請求項５９】
前記信号特性は、信号強度、距離、または両方の組合せを含む、請求項５８に記載のモバイルデバイス。
【請求項６０】
前記リストに含まれている前記一意の識別子に関連する１つまたは複数のヒートマップを含む支援データ（ＡＤ）を受信するための手段をさらに備える請求項５１に記載のモバイルデバイス。
【請求項６１】
前記１つまたは複数のヒートマップは、前記リストに含まれている前記一意の識別子の各々に関連するオフセットとともにベースラインヒートマップを含む、請求項６０に記載のモバイルデバイス。
【請求項６２】
前記モバイルデバイスの場所を決定するための前記手段は、現場ディスアンビギュエーションのための手段を含む、請求項５１に記載のモバイルデバイス。
【請求項６３】
前記モバイルデバイスが検出するＡＰビーコンを受動的にスキャンするための手段と、
前記モバイルデバイスが検出する前記ＡＰビーコンに基づいて、前記モバイルデバイスが特定の場所コンテキスト識別子に関連する領域にあることを決定するための手段と
をさらに備える請求項６２に記載のモバイルデバイス。
【請求項６４】
前記現場ディスアンビギュエーションは、いくつかの一意の識別子ではなく、基準を満たすいくつかのＡＰに基づく、請求項６２に記載のモバイルデバイス。
【請求項６５】
前記位置決めサーバからメディアアクセス制御（ＭＡＣ）アドレスのリストを受信するための手段と、
ＭＡＣアドレスの前記受信されたリストにあり、前記モバイルデバイスによって使用されるＭＡＣアドレスを識別するための手段と、
前記位置支援データに対して、前記受信されたリストの前記ＭＡＣアドレスの１つのみをスキャンし、前記受信されたリストの他のＭＡＣアドレスのいずれもスキャンしないための手段と
をさらに備える請求項５１に記載のモバイルデバイス。
【請求項６６】
前記一意の識別子のリストにあり、前記モバイルデバイスによって観測される１つまたは複数のメディアアクセス制御（ＭＡＣ）アドレスを識別するための手段と、ここにおいて、前記一意の識別子のリストの前記一意の識別子はＭＡＣアドレスである、
前記一意の識別子のリストの前記ＭＡＣアドレスの１つまたは複数に関連する前記ＡＰから受信された信号で測距を実行するあるいは当該信号の強度の測定を実行するが、前記一意の識別子のリストの前記ＭＡＣアドレスのすべてをスキャンするのではない手段と
をさらに備える請求項５１に記載のモバイルデバイス。
【請求項６７】
位置決めサーバから位置支援データを提供するための方法であって、
モバイルデバイスから位置支援データ要求メッセージを受信することと、
前記位置支援データ要求メッセージに応答して、物理的なアクセスポイント（ＡＰ）に関する一意の識別子と１つまたは複数の仮想ＡＰに関する一意の識別子のリストとを含む仮想アクセスポイント（ＶＡＰ）データを前記モバイルデバイスに送信することと、前記ＶＡＰデータは、前記リストに含まれている前記１つまたは複数の仮想ＡＰに関する前記一意の識別子が前記物理的なＡＰから生じる信号を識別することを示し、前記ＶＡＰデータは、
前記物理的なＡＰのＡＰ基本メディアアクセス制御（ＭＡＣ）アドレスを表すフィールドと、
前記物理的なＡＰに属するそれぞれの仮想ＡＰに対応するＡＰ  ＭＡＣアドレスを表す他のフィールドと、
を備え、前記他のフィールドは、前記物理的なＡＰに属する仮想ＡＰの数に対応する回数繰り返す、
を備える方法。
【請求項６８】
前記位置支援データ要求メッセージは、前記モバイルデバイスの緯度、経度、および高度を含む大まかな位置を含み、前記モバイルデバイスの位置に最も近い現場を発見することと、すべての一致する現場を現場リストに組み合わせることと、前記識別された現場に関する支援データを発見することとをさらに備える請求項６７に記載の方法。
【請求項６９】
前記位置支援データ要求メッセージは、前記モバイルデバイスが位置する現場の現場ＩＤを含み、一致する現場ＩＤを有する現場を発見することと、すべての一致する現場を現場リストに組み合わせることと、前記識別された現場に関する支援データを発見することとをさらに備える請求項６７に記載の方法。
【請求項７０】
前記位置支援データ要求メッセージは、前記モバイルデバイスのＷｉＦｉスキャンリストを含み、前記方法は、アクセスポイントデータベースから一致するメディアアクセス制御（ＭＡＣ）アドレスを発見することと、重複するＶＡＰデータを削除することと、前記モバイルデバイスに最も近い現場を発見することと、すべての一致する現場を現場リストに組み合わせることと、前記識別された現場に関する支援データを発見することとをさらに備える請求項６７に記載の方法。
【請求項７１】
前記一意の識別子はメディアアクセス制御（ＭＡＣ）アドレスである、請求項６７に記載の方法。
【請求項７２】
前記リストに含まれている前記一意の識別子に関連する１つまたは複数のヒートマップを含む支援データ（ＡＤ）を送信することをさらに備える請求項６７に記載の方法。
【請求項７３】
前記１つまたは複数のヒートマップは、前記リストに含まれている前記一意の識別子の各々に関連するオフセットとともにベースラインヒートマップを含む、請求項７２に記載の方法。
【請求項７４】
前記ＶＡＰデータは、前記物理的なＡＰに属する仮想ＡＰの前記数を示すＮＵＭ＿ＭＡＣフィールドをさらに備える、請求項６７に記載の方法。
【請求項７５】
メモリと、
前記メモリに結合され、
モバイルデバイスから位置支援データ要求メッセージを受信することと、
前記位置支援データ要求メッセージに応答して、物理的なアクセスポイント（ＡＰ）に関する一意の識別子と１つまたは複数の仮想ＡＰに関する一意の識別子のリストとを含む仮想アクセスポイント（ＶＡＰ）データを前記モバイルデバイスに送信することと、前記ＶＡＰデータは、前記リストに含まれている前記１つまたは複数の仮想ＡＰに関する前記一意の識別子が前記物理的なＡＰから生じる信号を識別することを示し、前記ＶＡＰデータは、
前記物理的なＡＰのＡＰ基本メディアアクセス制御（ＭＡＣ）アドレスを表すフィールドと、
前記物理的なＡＰに属するそれぞれの仮想ＡＰに対応するＡＰ  ＭＡＣアドレスを表す他のフィールドと、
を備え、前記他のフィールドは、前記物理的なＡＰに属する仮想ＡＰの数に対応する回数繰り返す、
を行うように構成されたプロセッサと
を備える位置決めサーバ。
【請求項７６】
前記位置支援データ要求メッセージは、前記モバイルデバイスの緯度、経度、および高度を含む大まかな位置を含み、前記プロセッサは、前記モバイルデバイスの位置に最も近い現場を発見し、すべての一致する現場を現場リストに組み合わせ、前記識別された現場に関する支援データを発見するようにさらに構成される、請求項７５に記載の位置決めサーバ。
【請求項７７】
前記位置支援データ要求メッセージは、前記モバイルデバイスが位置する現場の現場ＩＤを含み、前記プロセッサは、一致する現場ＩＤを有する現場を発見し、すべての一致する現場を現場リストに組み合わせ、前記識別された現場に関する支援データを発見するようにさらに構成される、請求項７５に記載の位置決めサーバ。
【請求項７８】
前記位置支援データ要求メッセージは、前記モバイルデバイスのＷｉＦｉスキャンリストを含み、前記プロセッサは、アクセスポイントデータベースから一致するメディアアクセス制御（ＭＡＣ）アドレスを発見し、重複するＶＡＰデータを削除し、前記モバイルデバイスに最も近い現場を発見し、すべての一致する現場を現場リストに組み合わせ、前記識別された現場に関する支援データを発見するようにさらに構成される、請求項７５に記載の位置決めサーバ。
【請求項７９】
前記一意の識別子はメディアアクセス制御（ＭＡＣ）アドレスである、請求項７５に記載の位置決めサーバ。
【請求項８０】
前記プロセッサは、前記リストに含まれている前記一意の識別子に関連する１つまたは複数のヒートマップを含む支援データ（ＡＤ）を送信するようにさらに構成される、請求項７５に記載の位置決めサーバ。
【請求項８１】
前記１つまたは複数のヒートマップは、前記リストに含まれている前記一意の識別子の各々に関連するオフセットとともにベースラインヒートマップを含む、請求項８０に記載の位置決めサーバ。
【請求項８２】
前記ＶＡＰデータは、前記物理的なＡＰに属する仮想ＡＰの前記数を示すＮＵＭ＿ＭＡＣフィールドをさらに備える、請求項７５に記載の位置決めサーバ。
【請求項８３】
１つまたは複数のプロセッサによって取得および実行されるために、そこに記憶されたプロセッサで実行可能な命令を備える非一時的コンピュータ可読媒体であって、前記プロセッサで実行可能な命令は、
モバイルデバイスから位置支援データ要求メッセージを受信することと、
前記位置支援データ要求メッセージに応じて、物理的なアクセスポイント（ＡＰ）に関する一意の識別子と１つまたは複数の仮想ＡＰに関する一意の識別子のリストとを含む仮想アクセスポイント（ＶＡＰ）データを前記モバイルデバイスに送信することと、前記ＶＡＰデータは、前記リストに含まれている前記１つまたは複数の仮想ＡＰに関する前記一意の識別子が前記物理的なＡＰから生じる信号を識別することを示し、前記ＶＡＰデータは、
前記物理的なＡＰのＡＰ基本メディアアクセス制御（ＭＡＣ）アドレスを表すフィールドと、
前記物理的なＡＰに属するそれぞれの仮想ＡＰに対応するＡＰ  ＭＡＣアドレスを表す他のフィールドと、
を備え、前記他のフィールドは、前記物理的なＡＰに属する仮想ＡＰの数に対応する回数繰り返す、
を行うための命令を含む、非一時的コンピュータ可読媒体。
【請求項８４】
前記位置支援データ要求メッセージは、前記モバイルデバイスの緯度、経度、および高度を含む大まかな位置を含み、前記プロセッサで実行可能な命令は、前記モバイルデバイスの位置に最も近い現場を発見し、すべての一致する現場を現場リストに組み合わせ、前記識別された現場に関する支援データを発見するための命令を含む、請求項８３に記載の非一時的コンピュータ可読媒体。
【請求項８５】
前記位置支援データ要求メッセージは、前記モバイルデバイスが位置する現場の現場ＩＤを含み、前記プロセッサで実行可能な命令は、一致する現場ＩＤを有する現場を発見し、すべての一致する現場を現場リストに組み合わせ、前記識別された現場に関する支援データを発見するための命令を含む、請求項８３に記載の非一時的コンピュータ可読媒体。
【請求項８６】
前記位置支援データ要求メッセージは、前記モバイルデバイスのＷｉＦｉスキャンリストを含み、前記プロセッサで実行可能な命令は、アクセスポイントデータベースから一致するメディアアクセス制御（ＭＡＣ）アドレスを発見し、重複するＶＡＰデータを削除し、前記モバイルデバイスに最も近い現場を発見し、すべての一致する現場を現場リストに組み合わせ、前記識別された現場に関する支援データを発見するための命令を含む、請求項８３に記載の非一時的コンピュータ可読媒体。
【請求項８７】
前記一意の識別子はメディアアクセス制御（ＭＡＣ）アドレスである、請求項８３に記載の非一時的コンピュータ可読媒体。
【請求項８８】
前記プロセッサで実行可能な命令は、前記リストに含まれている前記一意の識別子に関連する１つまたは複数のヒートマップを含む支援データ（ＡＤ）を送信することを前記１つまたは複数のプロセッサに行わせる命令をさらに含む、請求項８３に記載の非一時的コンピュータ可読媒体。
【請求項８９】
前記１つまたは複数のヒートマップは、前記リストに含まれている前記一意の識別子の各々に関連するオフセットとともにベースラインヒートマップを含む、請求項８８に記載の非一時的コンピュータ可読媒体。
【請求項９０】
モバイルデバイスから位置支援データ要求メッセージを受信するための手段と、
前記位置支援データ要求メッセージに応答して、物理的なアクセスポイント（ＡＰ）に関する一意の識別子と１つまたは複数の仮想ＡＰに関する一意の識別子のリストとを含む仮想アクセスポイント（ＶＡＰ）データを前記モバイルデバイスに送信するための手段と、前記ＶＡＰデータは、前記リストに含まれている前記１つまたは複数の仮想ＡＰに関する前記一意の識別子が前記物理的なＡＰから生じる信号を識別することを示し、前記ＶＡＰデータは、
前記物理的なＡＰのＡＰ基本メディアアクセス制御（ＭＡＣ）アドレスを表すフィールドと、
前記物理的なＡＰに属するそれぞれの仮想ＡＰに対応するＡＰ  ＭＡＣアドレスを表す他のフィールドと、
を備え、前記他のフィールドは、前記物理的なＡＰに属する仮想ＡＰの数に対応する回数繰り返す、
を備える位置決めサーバ。
【請求項９１】
前記位置支援データ要求メッセージは、前記モバイルデバイスの緯度、経度、および高度を含む大まかな位置を含み、前記モバイルデバイスの位置に最も近い現場を発見するための手段と、すべての一致する現場を現場リストに組み合わせるための手段と、前記識別された現場に関する支援データを発見するための手段とをさらに備える、請求項９０に記載の位置決めサーバ。
【請求項９２】
前記位置支援データ要求メッセージは、前記モバイルデバイスが位置する現場の現場ＩＤを含み、一致する現場ＩＤを用いて現場を発見するための手段と、すべての一致する現場を現場リストに組み合わせるための手段と、前記識別された現場に関する支援データを発見するための手段とをさらに備える請求項９０に記載の位置決めサーバ。
【請求項９３】
前記位置支援データ要求メッセージは、前記モバイルデバイスのＷｉＦｉスキャンリストを含み、アクセスポイントデータベースから一致するメディアアクセス制御（ＭＡＣ）アドレスを発見するための手段と、重複するＶＡＰデータを削除するための手段と、前記モバイルデバイスに最も近い現場を発見することと、すべての一致する現場を現場リストに組み合わせるための手段と、前記識別された現場に関する支援データを発見するための手段とをさらに備える請求項９０に記載の位置決めサーバ。
【請求項９４】
前記一意の識別子はメディアアクセス制御（ＭＡＣ）アドレスである、請求項９０に記載の位置決めサーバ。
【請求項９５】
前記リストに含まれている前記一意の識別子に関連する１つまたは複数のヒートマップを含む支援データを送信するための手段をさらに備える請求項９０に記載の位置決めサーバ。
【請求項９６】
前記１つまたは複数のヒートマップは、前記リストに含まれている前記一意の識別子の各々に関連するオフセットとともにベースラインヒートマップを含む、請求項９５に記載の位置決めサーバ。
【請求項９７】
位置決めサーバでメンテナンスを実行するための方法であって、
ＡＤデータベースからヒートマップを含む支援データ（ＡＤ）を取得することと、
物理的なアクセスポイントごとに１つのヒートマップだけを維持し、前記物理的なアクセスポイントに関連する個々の仮想アクセスポイントに関する以前に存在した冗長なヒートマップを削除することによって、ＡＤサイズを低減することと、
前記仮想アクセスポイントが個々のヒートマップを有するかどうかを決定することと、
同じ物理的なアクセスポイントに属する仮想アクセスポイントにわたって送信電力差を推定し、前記ＡＤデータベースに前記送信電力差のデータを記述するデータを追加することと
を備える方法。
【請求項９８】
位置決めサーバでメンテナンスを実行するための方法であって、
支援データ（ＡＤ）データベースからヒートマップを含むＡＤを取得することと、
物理的なアクセスポイントごとに１つのヒートマップだけを維持し、前記物理的なアクセスポイントに関連する個々の仮想アクセスポイントに関する以前に存在した冗長なヒートマップを削除することによって、ＡＤサイズを低減することと、
サーバによって受信された仮想アクセスポイントリストが、ＷｉＦｉアクセスポイントデータベースに記憶されているものに一致するメディアアクセス制御（ＭＡＣ）アドレスを有さず、ＡＤ生成のための情報を有する場合、前記ＷｉＦｉアクセスポイントデータベースに新しいアクセスポイントデータを記憶することと、
前記新しく記憶されたアクセスポイントデータに関するヒートマップを作成することと、
前記ＡＤデータベースに前記ヒートマップを記憶することと
を備える方法。
【請求項９９】
メモリと、
前記メモリに結合され、
ＡＤデータベースからヒートマップを含む支援データ（ＡＤ）を取得することと、
物理的なアクセスポイントごとに１つのヒートマップだけを維持し、前記物理的なアクセスポイントに関連する個々の仮想アクセスポイントに関する以前に存在した冗長なヒートマップを削除することによって、ＡＤサイズを低減することと、
前記仮想アクセスポイントが個々のヒートマップを有するかどうかを決定することと、
同じ物理的なアクセスポイントに属する仮想アクセスポイントにわたって送信電力差を推定し、前記ＡＤデータベースに前記送信電力差のデータを記述するデータを追加することと
を行うように構成されたプロセッサと
を備える位置決めサーバ。
【請求項１００】
メモリと、
前記メモリに結合され、
支援データ（ＡＤ）データベースからヒートマップを含むＡＤを取得することと、
物理的なアクセスポイントごとに１つのヒートマップだけを維持し、前記物理的なアクセスポイントに関連する個々の仮想アクセスポイントに関する以前に存在した冗長なヒートマップを削除することによって、ＡＤサイズを低減することと、
サーバによって受信された仮想アクセスポイントリストが、ＷｉＦｉアクセスポイントデータベースに記憶されているものに一致するメディアアクセス制御（ＭＡＣ）アドレスを有さず、ＡＤ生成のための情報を有する場合、前記ＷｉＦｉアクセスポイントデータベースに新しいアクセスポイントデータを記憶することと、
前記新しいアクセスポイントデータに関するヒートマップを作成することと、
前記ＡＤデータベースに前記ヒートマップを記憶することと
を行うように構成されたプロセッサと
を備える位置決めサーバ。
【請求項１０１】
１つまたは複数のプロセッサによって取得および実行されるために、そこに記憶されたプロセッサで実行可能な命令を備える非一時的コンピュータ可読媒体であって、前記プロセッサで実行可能な命令は、
ＡＤデータベースからヒートマップを含む支援データ（ＡＤ）を取得することと、
物理的なアクセスポイントごとに１つのヒートマップだけを維持し、前記物理的なアクセスポイントに関連する個々の仮想アクセスポイントに関する以前に存在した冗長なヒートマップを削除することによって、ＡＤサイズを低減することと、
前記仮想アクセスポイントが個々のヒートマップを有するかどうかを決定することと、
同じ物理的なアクセスポイントに属する仮想アクセスポイントにわたって送信電力差を推定し、前記ＡＤデータベースに前記送信電力差のデータを記述するデータを追加することと
を行うための命令を含む、非一時的コンピュータ可読媒体。
【請求項１０２】
１つまたは複数のプロセッサによって取得および実行されるために、そこに記憶されたプロセッサで実行可能な命令を備える非一時的コンピュータ可読媒体であって、前記プロセッサで実行可能な命令は、
支援データ（ＡＤ）データベースからヒートマップを含むＡＤを取得することと、
物理的なアクセスポイントごとに１つのヒートマップだけを維持し、前記物理的なアクセスポイントに関連する個々の仮想アクセスポイントに関する以前に存在した冗長なヒートマップを削除することによって、ＡＤサイズを低減することと、
サーバによって受信された仮想アクセスポイントリストが、ＷｉＦｉアクセスポイントデータベースに記憶されたものに一致するメディアアクセス制御（ＭＡＣ）アドレスを有さず、ＡＤ生成のための情報を有する場合、前記ＷｉＦｉアクセスポイントデータベースに新しいアクセスポイントデータを記憶することと、
前記新しく記憶されたアクセスポイントデータに関するヒートマップを作成することと、
前記ＡＤデータベースに前記ヒートマップを記憶することと
を行うための命令を含む、非一時的コンピュータ可読媒体。
【請求項１０３】
ＡＤデータベースからヒートマップを含む支援データ（ＡＤ）を取得するための手段と、
物理的なアクセスポイントごとに１つのヒートマップだけを維持し、前記物理的なアクセスポイントに関連する個々の仮想アクセスポイントに関する以前に存在した冗長なヒートマップを削除することによって、ＡＤサイズを低減するための手段と、
前記仮想アクセスポイントが個々のヒートマップを有するかどうかを決定するための手段と、
同じ物理的なアクセスポイントに属する仮想アクセスポイントにわたって送信電力差を推定し、前記ＡＤデータベースに前記送信電力差のデータを記述するデータを追加するための手段と
を備える位置決めサーバ。
【請求項１０４】
支援データ（ＡＤ）データベースからヒートマップを含むＡＤを取得するための手段と、
物理的なアクセスポイントごとに１つのヒートマップだけを維持し、前記物理的なアクセスポイントに関連する個々の仮想アクセスポイントに関する以前に存在した冗長なヒートマップを削除することによって、ＡＤサイズを低減するための手段と、
サーバによって受信された仮想アクセスポイントリストが、ＷｉＦｉアクセスポイントデータベースに記憶されているものに一致するメディアアクセス制御（ＭＡＣ）アドレスを有さず、ＡＤ生成のための情報を有する場合、前記ＷｉＦｉアクセスポイントデータベースに新しいアクセスポイントデータを記憶するための手段と、
前記新しく記憶されたアクセスポイントデータに関するヒートマップを作成するための手段と、
前記ＡＤデータベースに前記ヒートマップを記憶するための手段と
を備える位置決めサーバ。
【手続補正２】
【補正対象書類名】明細書
【補正対象項目名】０１２３
【補正方法】変更
【補正の内容】
【０１２３】
[00132]本開示では例を記述しているが、添付された特許請求の範囲によって定義されるような開示の範囲から逸脱することなく、様々な変更および修正を本明細書において行うことができることに注意するべきである。
以下に、本願の出願当初の特許請求の範囲に記載された発明を付記する。
［Ｃ１］
モバイルデバイスによって位置支援データを処理するための方法であって、
位置決めサーバから一意の識別子のリストを含む仮想アクセスポイント（ＶＡＰ）データを受信することと、前記ＶＡＰデータは、前記リストに含まれている前記一意の識別子が同じ物理的なアクセスポイント（ＡＰ）から生じる信号を識別することを示す、
前記モバイルデバイスの場所を決定することと、ここにおいて、前記モバイルデバイスは前記場所を決定するときに前記ＶＡＰデータを使用する、
を備える方法。
［Ｃ２］
位置決めサーバに位置支援データ要求メッセージを送信することをさらに備えるＣ１に記載の方法。
［Ｃ３］
前記要求メッセージは、前記モバイルデバイスの緯度、経度、および高度を含む大まかな位置を含む、Ｃ２に記載の方法。
［Ｃ４］
前記要求メッセージは、前記モバイルデバイスが位置する現場の現場ＩＤを含む、Ｃ２に記載の方法。
［Ｃ５］
前記要求メッセージは、前記モバイルデバイスのＷｉＦｉスキャンリストを含む、Ｃ２に記載の方法。
［Ｃ６］
前記一意の識別子はＭＡＣアドレスである、Ｃ１に記載の方法。
［Ｃ７］
前記モバイルデバイスの前記場所を決定することは、前記リストに含まれている一意の識別子によって識別される信号を能動的にスキャンすることと、前記リストにさらに含まれている異なる一意の識別子によって識別される異なる信号を能動的にスキャンしないこととを含む、Ｃ１に記載の方法。
［Ｃ８］
前記モバイルデバイスの前記場所を決定することは、複数の信号に関して対応する信号測定値を平均することによって、前記ＡＰに関する信号特性を計算することを含み、各信号は、前記リストに含まれている異なる一意の識別子に関連する、Ｃ１に記載の方法。
［Ｃ９］
前記信号特性は、信号強度、距離、または両方の組合せを含む、Ｃ１に記載の方法。
［Ｃ１０］
前記リストに含まれている前記一意の識別子に関連する１つまたは複数のヒートマップを含む支援データ（ＡＤ）を受信することをさらに備えるＣ１に記載の方法。
［Ｃ１１］
前記１つまたは複数のヒートマップは、前記リストに含まれている前記一意の識別子の各々に関連するオフセットとともにベースラインヒートマップを含む、Ｃ１０に記載の方法。
［Ｃ１２］
前記モバイルデバイスの場所を決定することは、現場ディスアンビギュエーションを含む、Ｃ１に記載の方法。
［Ｃ１３］
前記モバイルデバイスが検出するＡＰビーコンを受動的にスキャンすることと、
前記モバイルデバイスが検出する前記ＡＰビーコンに基づいて、前記モバイルデバイスが特定の場所コンテキスト識別子に関連する領域にあることを決定することとをさらに備えるＣ１２に記載の方法。
［Ｃ１４］
前記現場ディスアンビギュエーションは、いくつかの一意の識別子ではなく、基準を満たすいくつかのＡＰに基づく、Ｃ１２に記載の方法。
［Ｃ１５］
前記位置決めサーバからメディアアクセス制御（ＭＡＣ）アドレスのリストを受信することと、
ＭＡＣアドレスの前記受信されたリストにあり、前記モバイルデバイスによって使用されるＭＡＣアドレスを識別することと、
前記位置支援データに対して、前記受信されたリストのＭＡＣアドレスの１つのみをスキャンし、前記受信されたリストの他のＭＡＣアドレスのいずれもスキャンしないこととをさらに備えるＣ１に記載の方法。
［Ｃ１６］
前記一意の識別子のリストにあり、前記モバイルデバイスによって観測される１つまたは複数のメディアアクセス制御（ＭＡＣ）アドレスを識別することと、ここにおいて、前記一意の識別子のリストの前記一意の識別子はＭＡＣアドレスである、
前記一意の識別子のリストの前記ＭＡＣアドレスの１つまたは複数に関連する前記ＡＰから受信された信号で測距を実行するあるいは当該信号の強度の測定を実行するが、前記一意の識別子のリストのＭＡＣアドレスのすべてをスキャンするのではないことと、をさらに備えるＣ１に記載の方法。
［Ｃ１７］
モバイルデバイスであって、
メモリと、
前記メモリに結合され、
位置決めサーバから一意の識別子のリストを含む仮想アクセスポイント（ＶＡＰ）データを受信することと、前記ＶＡＰデータは、前記リストに含まれている前記一意の識別子が同じ物理的なアクセスポイント（ＡＰ）から生じる信号を識別することを示す、
前記モバイルデバイスの場所を決定することと、
を行うように構成されたプロセッサと、ここにおいて、前記プロセッサは前記場所を決定するときに前記ＶＡＰデータを使用する、
を備えるモバイルデバイス。
［Ｃ１８］
前記プロセッサは、位置決めサーバに位置支援データ要求を送信することを前記モバイルデバイスに行わせるようにさらに構成される、Ｃ１７に記載のモバイルデバイス。
［Ｃ１９］
前記要求メッセージは、前記モバイルデバイスの緯度、経度、および高度を含む大まかな位置を含む、Ｃ１８に記載のモバイルデバイス。
［Ｃ２０］
前記要求メッセージは、前記モバイルデバイスが位置する現場の現場ＩＤを含む、Ｃ１８に記載のモバイルデバイス。
［Ｃ２１］
前記要求メッセージは、前記モバイルデバイスのＷｉＦｉスキャンリストを含む、Ｃ１８に記載のモバイルデバイス。
［Ｃ２２］
前記一意の識別子はＭＡＣアドレスである、Ｃ１７に記載のモバイルデバイス。
［Ｃ２３］
前記モバイルデバイスの前記場所を決定することを行うように構成された前記プロセッサは、前記リストに含まれている一意の識別子によって識別される信号を能動的にスキャンすることと、前記リストにも含まれている異なる一意の識別子によって識別される異なる信号を能動的にスキャンしないこととを含む、Ｃ１７に記載のモバイルデバイス。
［Ｃ２４］
前記モバイルデバイスの前記場所を決定することを行うように構成された前記プロセッサは、複数の信号に関して対応する信号測定値を平均することによって、前記ＡＰに関する信号特性を計算することを含み、各信号は、前記リストに含まれている異なる一意の識別子に関連する、Ｃ１７に記載のモバイルデバイス。
［Ｃ２５］
前記信号特性は、信号強度、距離、または両方の組合せを含む、Ｃ１７に記載のモバイルデバイス。
［Ｃ２６］
前記プロセッサは、前記リストに含まれている前記一意の識別子に関連する１つまたは複数のヒートマップを含む支援データ（ＡＤ）を受信するようにさらに構成される、Ｃ１７に記載のモバイルデバイス。
［Ｃ２７］
前記１つまたは複数のヒートマップは、前記リストに含まれている前記一意の識別子の各々に関連するオフセットとともにベースラインヒートマップを含む、Ｃ２６に記載のモバイルデバイス。
［Ｃ２８］
前記モバイルデバイスの場所を決定することは、現場ディスアンビギュエーションを含む、Ｃ１７に記載のモバイルデバイス。
［Ｃ２９］
前記プロセッサは、
前記モバイルデバイスが検出するＡＰビーコンを受動的にスキャンすることを前記モバイルデバイスに行わせることと、
前記モバイルデバイスが検出する前記ＡＰビーコンに基づいて、前記モバイルデバイスが特定の場所コンテキスト識別子に関連する領域にあることを決定することとを行うようにさらに構成される、Ｃ２８に記載のモバイルデバイス。
［Ｃ３０］
前記現場ディスアンビギュエーションは、いくつかの一意の識別子ではなく、基準を満たすいくつかのＡＰに基づく、Ｃ２８に記載のモバイルデバイス。
［Ｃ３１］
前記プロセッサは、
前記位置決めサーバからメディアアクセス制御（ＭＡＣ）アドレスのリストを受信することと、
ＭＡＣアドレスの前記受信されたリストにあり、前記モバイルデバイスによって使用されるＭＡＣアドレスを識別することと、
前記位置支援データに対して、前記受信されたリストの前記ＭＡＣアドレスの１つのみをスキャンし、前記受信されたリストの他のＭＡＣアドレスのいずれもスキャンしないことと
を行うようにさらに構成される、Ｃ１７に記載のモバイルデバイス。
［Ｃ３２］
前記プロセッサは、
前記一意の識別子のリストにあり、前記モバイルデバイスによって観測される１つまたは複数のメディアアクセス制御（ＭＡＣ）アドレスを識別することと、ここにおいて、前記一意の識別子のリストの前記一意の識別子はＭＡＣアドレスである、
前記一意の識別子のリストの前記ＭＡＣアドレスの１つまたは複数に関連する前記ＡＰから受信された信号で測距を実行するあるいは当該信号の強度の測定を実行するが、前記一意の識別子のリストのＭＡＣアドレスのすべてをスキャンするのではないことと、を行うようにさらに構成されているＣ１７に記載のモバイルデバイス。
［Ｃ３３］
１つまたは複数のプロセッサによって取得および実行されるために、そこに記憶されたプロセッサで実行可能な命令を備える非一時的コンピュータ可読媒体であって、前記プロセッサで実行可能な命令は、
位置決めサーバから一意の識別子のリストを含む仮想アクセスポイント（ＶＡＰ）データを受信することと、前記ＶＡＰデータは、前記リストに含まれている前記一意の識別子が同じ物理的なアクセスポイント（ＡＰ）から生じる信号を識別することを示す、
前記モバイルデバイスの場所を決定することと、ここにおいて、前記モバイルデバイスは前記場所を決定するときに前記ＶＡＰデータを使用する、
を行うための命令を含む、非一時的コンピュータ可読媒体。
［Ｃ３４］
前記プロセッサで実行可能な命令は、位置決めサーバに位置支援データ要求を送信するための命令をさらに含む、Ｃ３３に記載の非一時的コンピュータ可読媒体。
［Ｃ３５］
前記要求メッセージは、前記モバイルデバイスの緯度、経度、および高度を含む大まかな位置を含む、Ｃ３４に記載の非一時的コンピュータ可読媒体。
［Ｃ３６］
前記要求メッセージは、前記モバイルデバイスが位置する現場の現場ＩＤを含む、Ｃ３４に記載の非一時的コンピュータ可読媒体。
［Ｃ３７］
前記要求メッセージは、前記モバイルデバイスのＷｉＦｉスキャンリストを含む、Ｃ３４に記載の非一時的コンピュータ可読媒体。
［Ｃ３８］
前記一意の識別子はＭＡＣアドレスである、Ｃ３３に記載の非一時的コンピュータ可読媒体。
［Ｃ３９］
前記モバイルデバイスの前記場所を決定するための前記命令は、前記リストにも含まれている異なる一意の識別子によって識別される異なる信号を能動的にスキャンすることなく、前記リストに含まれている一意の識別子によって識別された信号を能動的にスキャンするための命令を含む、Ｃ３３に記載の非一時的コンピュータ可読媒体。
［Ｃ４０］
前記モバイルデバイスの前記場所を決定するための前記命令は、複数の信号に関して対応する信号測定値を平均することによって、前記ＡＰに関する信号特性を計算する命令を含み、各信号は、前記リストに含まれている異なる一意の識別子に関連する、Ｃ３３に記載の非一時的コンピュータ可読媒体。
［Ｃ４１］
前記信号特性は、信号強度、距離、または両方の組合せを含む、Ｃ３３に記載の非一時的コンピュータ可読媒体。
［Ｃ４２］
前記プロセッサで実行可能な命令は、前記リストに含まれている前記一意の識別子に関連する１つまたは複数のヒートマップを含む支援データ（ＡＤ）を受信するための命令をさらに含む、Ｃ３３に記載の非一時的コンピュータ可読媒体。
［Ｃ４３］
前記１つまたは複数のヒートマップは、前記リストに含まれている前記一意の識別子の各々に関連するオフセットとともにベースラインヒートマップを含む、Ｃ４２に記載の非一時的コンピュータ可読媒体。
［Ｃ４４］
前記モバイルデバイスの場所を決定することは、現場ディスアンビギュエーションを含む、Ｃ３３に記載の非一時的コンピュータ可読媒体。
［Ｃ４５］
前記プロセッサで実行可能な命令は、前記プロセッサに、
前記モバイルデバイスが検出するＡＰビーコンを受動的にスキャンすることと、
前記モバイルデバイスが検出する前記ＡＰビーコンに基づいて、前記モバイルデバイスが特定の場所コンテキスト識別子に関連する領域にあることを決定することとを行わせる命令をさらに含む、Ｃ４４に記載の非一時的コンピュータ可読媒体。
［Ｃ４６］
前記現場ディスアンビギュエーションは、いくつかの一意の識別子ではなく、基準を満たすいくつかのＡＰに基づく、Ｃ４４に記載の非一時的コンピュータ可読媒体。
［Ｃ４７］
前記プロセッサで実行可能な命令は、
前記位置決めサーバからメディアアクセス制御（ＭＡＣ）アドレスのリストを受信することと、
ＭＡＣアドレスの前記受信されたリストにあり、前記モバイルデバイスによって使用されるＭＡＣアドレスを識別することと、
前記位置支援データに対して、前記受信されたリストのＭＡＣアドレスの１つのみをスキャンし、前記受信されたリストの他のＭＡＣアドレスのいずれもスキャンしないこととを行うための命令をさらに含む、Ｃ３３に記載の非一時的コンピュータ可読媒体。
［Ｃ４８］
前記プロセッサで実行可能な命令は、
前記一意の識別子のリストにあり、前記モバイルデバイスによって観測される１つまたは複数のメディアアクセス制御（ＭＡＣ）アドレスを識別することと、ここにおいて、前記一意の識別子のリストの前記一意の識別子はＭＡＣアドレスである、
前記一意の識別子のリストの前記ＭＡＣアドレスの１つまたは複数に関連する前記ＡＰから受信された信号で測距を実行するあるいは当該信号の強度の測定を実行するが、前記一意の識別子のリストのＭＡＣアドレスのすべてをスキャンするのではないこととを行うための命令をさらに含む、Ｃ３３に記載の非一時的コンピュータ可読媒体。
［Ｃ４９］
位置支援データを処理するように構成されたモバイルデバイスであって、
位置決めサーバから一意の識別子のリストを含む仮想アクセスポイント（ＶＡＰ）データを受信するための手段と、前記ＶＡＰデータは、前記リストに含まれている前記一意の識別子が同じ物理的なアクセスポイント（ＡＰ）から生じる信号を識別することを示す、
前記モバイルデバイスの場所を決定するための手段と、ここにおいて、前記モバイルデバイスは前記場所を決定する場合に前記ＶＡＰデータを使用する、
を備えるモバイルデバイス。
［Ｃ５０］
位置決めサーバに位置支援データ要求を送信するための手段をさらに備えるＣ４９に記載のモバイルデバイス。
［Ｃ５１］
前記要求メッセージは、前記モバイルデバイスの緯度、経度、および高度を含む大まかな位置を含む、Ｃ５０に記載のモバイルデバイス。
［Ｃ５２］
前記要求メッセージは、前記モバイルデバイスが位置する現場の現場ＩＤを含む、Ｃ５０に記載のモバイルデバイス。
［Ｃ５３］
前記要求メッセージは、前記モバイルデバイスのＷｉＦｉスキャンリストを含む、Ｃ５０に記載のモバイルデバイス。
［Ｃ５４］
前記一意の識別子はＭＡＣアドレスである、Ｃ４９に記載のモバイルデバイス。
［Ｃ５５］
前記モバイルデバイスの前記場所を決定するための前記手段は、前記リストに含まれている一意の識別子によって識別された信号を能動的にスキャンし、前記リストにも含まれている異なる一意の識別子によって識別される異なる信号を能動的にスキャンしないための手段を含むＣ４９に記載のモバイルデバイス。
［Ｃ５６］
前記モバイルデバイスの前記場所を決定するための前記手段は、複数の信号に関して対応する信号測定値を平均することによって、前記ＡＰに関する信号特性を計算するための手段を含み、各信号は、前記リストに含まれている異なる一意の識別子に関連する、Ｃ４９に記載のモバイルデバイス。
［Ｃ５７］
前記信号特性は、信号強度、距離、または両方の組合せを含む、Ｃ４９に記載のモバイルデバイス。
［Ｃ５８］
前記リストに含まれている前記一意の識別子に関連する１つまたは複数のヒートマップを含む支援データ（ＡＤ）を受信するための手段をさらに備えるＣ４９に記載のモバイルデバイス。
［Ｃ５９］
前記１つまたは複数のヒートマップは、前記リストに含まれている前記一意の識別子の各々に関連するオフセットとともにベースラインヒートマップを含む、Ｃ５８に記載のモバイルデバイス。
［Ｃ６０］
前記モバイルデバイスの場所を決定するための前記手段は、現場ディスアンビギュエーションのための手段を含む、Ｃ４９に記載のモバイルデバイス。
［Ｃ６１］
前記モバイルデバイスが検出するＡＰビーコンを受動的にスキャンするための手段と、
前記モバイルデバイスが検出する前記ＡＰビーコンに基づいて、前記モバイルデバイスが特定の場所コンテキスト識別子に関連する領域にあることを決定するための手段とをさらに備えるＣ６０に記載のモバイルデバイス。
［Ｃ６２］
前記現場ディスアンビギュエーションは、いくつかの一意の識別子ではなく、基準を満たすいくつかのＡＰに基づく、Ｃ６０に記載のモバイルデバイス。
［Ｃ６３］
前記位置決めサーバからメディアアクセス制御（ＭＡＣ）アドレスのリストを受信するための手段と、
ＭＡＣアドレスの前記受信されたリストにあり、前記モバイルデバイスによって使用されるＭＡＣアドレスを識別するための手段と、
前記位置支援データに対して、前記受信されたリストの前記ＭＡＣアドレスの１つのみをスキャンし、前記受信されたリストの他のＭＡＣアドレスのいずれもスキャンしないための手段と
をさらに備えるＣ４９に記載のモバイルデバイス。
［Ｃ６４］
前記一意の識別子のリストにあり、前記モバイルデバイスによって観測される１つまたは複数のメディアアクセス制御（ＭＡＣ）アドレスを識別するための手段と、ここにおいて、前記一意の識別子のリストの前記一意の識別子はＭＡＣアドレスである、
前記一意の識別子のリストの前記ＭＡＣアドレスの１つまたは複数に関連する前記ＡＰから受信された信号で測距を実行するあるいは当該信号の強度の測定を実行するが、前記一意の識別子のリストのＭＡＣアドレスのすべてをスキャンするのではない手段とをさらに備えるＣ４９に記載のモバイルデバイス。
［Ｃ６５］
位置決めサーバから位置支援データを提供するための方法であって、
モバイルデバイスから位置支援データ要求メッセージを受信することと、
前記位置支援データ要求メッセージに応答して、一意の識別子のリストを含む仮想アクセスポイント（ＶＡＰ）データを前記モバイルデバイスに送信することと、前記ＶＡＰデータは、前記リストに含まれている前記一意の識別子が同じ物理的なアクセスポイント（ＡＰ）から生じる信号を識別することを示す、
を備える方法。
［Ｃ６６］
前記位置支援データ要求メッセージは、前記モバイルデバイスの緯度、経度、および高度を含む大まかな位置を含み、前記モバイルデバイスの位置に最も近い現場を発見することと、すべての一致する現場を現場リストに組み合わせることと、前記識別された現場に関する支援データを発見することとをさらに備えるＣ６５に記載の方法。
［Ｃ６７］
前記位置支援データ要求メッセージは、前記モバイルデバイスが位置する現場の現場ＩＤを含み、一致する現場ＩＤを有する現場を発見することと、すべての一致する現場を現場リストに組み合わせることと、前記識別された現場に関する支援データを発見することとをさらに備えるＣ６５に記載の方法。
［Ｃ６８］
前記位置支援データ要求メッセージは、前記モバイルデバイスのＷｉＦｉスキャンリストを含み、前記方法は、アクセスポイントデータベースから一致するＭＡＣアドレスを発見することと、重複するＶＡＰデータを削除することと、前記モバイルデバイスに最も近い現場を発見することと、すべての一致する現場を現場リストに組み合わせることと、前記識別された現場に関する支援データを発見することとをさらに備えるＣ６５に記載の方法。
［Ｃ６９］
前記一意の識別子はＭＡＣアドレスである、Ｃ６５に記載の方法。
［Ｃ７０］
前記リストに含まれている前記一意の識別子に関連する１つまたは複数のヒートマップを含む支援データ（ＡＤ）を送信することをさらに備えるＣ６５に記載の方法。
［Ｃ７１］
前記１つまたは複数のヒートマップは、前記リストに含まれている前記一意の識別子の各々に関連するオフセットとともにベースラインヒートマップを含む、Ｃ７０に記載の方法。
［Ｃ７２］
メモリと、
前記メモリに結合され、
モバイルデバイスから位置支援データ要求メッセージを受信することと、
前記位置支援データ要求メッセージに応答して、一意の識別子のリストを含む仮想アクセスポイント（ＶＡＰ）データを前記モバイルデバイスに送信することと、前記ＶＡＰデータは、前記リストに含まれている前記一意の識別子が同じ物理的なアクセスポイント（ＡＰ）から生じる信号を識別することを示す、
を行うように構成されたプロセッサと
を備える位置決めサーバ。
［Ｃ７３］
前記位置支援データ要求メッセージは、前記モバイルデバイスの緯度、経度、および高度を含む大まかな位置を含み、前記プロセッサは、前記モバイルデバイスの位置に最も近い現場を発見し、すべての一致する現場を現場リストに組み合わせ、前記識別された現場に関する支援データを発見するようにさらに構成される、Ｃ７２に記載の位置決めサーバ。
［Ｃ７４］
前記位置支援データ要求メッセージは、前記モバイルデバイスが位置する現場の現場ＩＤを含み、前記プロセッサは、一致する現場ＩＤを有する現場を発見し、すべての一致する現場を現場リストに組み合わせ、前記識別された現場に関する支援データを発見するようにさらに構成される、Ｃ７２に記載の位置決めサーバ。
［Ｃ７５］
前記位置支援データ要求メッセージは、前記モバイルデバイスのＷｉＦｉスキャンリストを含み、前記プロセッサは、アクセスポイントデータベースから一致するＭＡＣアドレスを発見し、重複するＶＡＰデータを削除し、前記モバイルデバイスに最も近い現場を発見し、すべての一致する現場を現場リストに組み合わせ、前記識別された現場に関する支援データを発見するようにさらに構成される、Ｃ７２に記載の位置決めサーバ。
［Ｃ７６］
前記一意の識別子はＭＡＣアドレスである、Ｃ７２に記載の位置決めサーバ。
［Ｃ７７］
前記プロセッサは、前記リストに含まれている前記一意の識別子に関連する１つまたは複数のヒートマップを含む支援データ（ＡＤ）を送信するようにさらに構成される、Ｃ７２に記載の位置決めサーバ。
［Ｃ７８］
前記１つまたは複数のヒートマップは、前記リストに含まれている前記一意の識別子の各々に関連するオフセットとともにベースラインヒートマップを含む、Ｃ７７に記載の位置決めサーバ。
［Ｃ７９］
１つまたは複数のプロセッサによって取得および実行されるために、そこに記憶されたプロセッサで実行可能な命令を備える非一時的コンピュータ可読媒体であって、前記プロセッサで実行可能な命令は、
モバイルデバイスから位置支援データ要求メッセージを受信することと、
前記位置支援データ要求メッセージに応じて、一意の識別子のリストを含む仮想アクセスポイント（ＶＡＰ）データを前記モバイルデバイスに送信することと、前記ＶＡＰデータは、前記リストに含まれている前記一意の識別子が同じ物理的なアクセスポイント（ＡＰ）から生じる信号を識別することを示す、
を行うための命令を含む、非一時的コンピュータ可読媒体。
［Ｃ８０］
前記位置支援データ要求メッセージは、前記モバイルデバイスの緯度、経度、および高度を含む大まかな位置を含み、前記プロセッサで実行可能な命令は、前記モバイルデバイスの位置に最も近い現場を発見し、すべての一致する現場を現場リストに組み合わせ、前記識別された現場に関する支援データを発見するための命令を含む、Ｃ７９に記載の非一時的コンピュータ可読媒体。
［Ｃ８１］
前記位置支援データ要求メッセージは、前記モバイルデバイスが位置する現場の現場ＩＤを含み、前記プロセッサで実行可能な命令は、一致する現場ＩＤを有する現場を発見し、すべての一致する現場を現場リストに組み合わせ、前記識別された現場に関する支援データを発見するための命令を含む、Ｃ７９に記載の非一時的コンピュータ可読媒体。
［Ｃ８２］
前記位置支援データ要求メッセージは、前記モバイルデバイスのＷｉＦｉスキャンリストを含み、前記プロセッサで実行可能な命令は、アクセスポイントデータベースから一致するＭＡＣアドレスを発見し、重複するＶＡＰデータを削除し、前記モバイルデバイスに最も近い現場を発見し、すべての一致する現場を現場リストに組み合わせ、前記識別された現場に関する支援データを発見するための命令を含む、Ｃ７９に記載の非一時的コンピュータ可読媒体。
［Ｃ８３］
前記一意の識別子はＭＡＣアドレスである、Ｃ７９に記載の非一時的コンピュータ可読媒体。
［Ｃ８４］
前記プロセッサで実行可能な命令は、前記リストに含まれている前記一意の識別子に関連する１つまたは複数のヒートマップを含む支援データ（ＡＤ）を送信することを前記プロセッサに行わせる命令をさらに含む、Ｃ７９に記載の非一時的コンピュータ可読媒体。
［Ｃ８５］
前記１つまたは複数のヒートマップは、前記リストに含まれている前記一意の識別子の各々に関連するオフセットとともにベースラインヒートマップを含む、Ｃ８４に記載の非一時的コンピュータ可読媒体。
［Ｃ８６］
モバイルデバイスから位置支援データ要求メッセージを受信するための手段と、
前記位置支援データ要求メッセージに応答して、一意の識別子のリストを含む仮想アクセスポイント（ＶＡＰ）データを前記モバイルデバイスに送信するための手段と、前記ＶＡＰデータは、前記リストに含まれている前記一意の識別子が同じ物理的なアクセスポイント（ＡＰ）から生じる信号を識別することを示す、
を備える位置決めサーバ。
［Ｃ８７］
前記位置支援データ要求メッセージは、前記モバイルデバイスの緯度、経度、および高度を含む大まかな位置を含み、前記モバイルデバイスの位置に最も近い現場を発見するための手段と、すべての一致する現場を現場リストに組み合わせるための手段と、前記識別された現場に関する支援データを発見するための手段とをさらに備える、Ｃ８６に記載の位置決めサーバ。
［Ｃ８８］
前記位置支援データ要求メッセージは、前記モバイルデバイスが位置する現場の現場ＩＤを含み、一致する現場ＩＤを用いて現場を発見するための手段と、すべての一致する現場を現場リストに組み合わせるための手段と、前記識別された現場に関する支援データを発見するための手段とをさらに備えるＣ８６に記載の位置決めサーバ。
［Ｃ８９］
前記位置支援データ要求メッセージは、前記モバイルデバイスのＷｉＦｉスキャンリストを含み、アクセスポイントデータベースから一致するＭＡＣアドレスを発見するための手段と、重複するＶＡＰデータを削除するための手段と、前記モバイルデバイスに最も近い現場を発見することと、すべての一致する現場を現場リストに組み合わせるための手段と、前記識別された現場に関する支援データを発見するための手段とをさらに備えるＣ８６に記載の位置決めサーバ。
［Ｃ９０］
前記一意の識別子はＭＡＣアドレスである、Ｃ８６に記載の位置決めサーバ。
［Ｃ９１］
前記リストに含まれている前記一意の識別子に関連する１つまたは複数のヒートマップを含む支援データを送信するための手段をさらに備えるＣ８６に記載の位置決めサーバ。
［Ｃ９２］
前記１つまたは複数のヒートマップは、前記リストに含まれている前記一意の識別子の各々に関連するオフセットとともにベースラインヒートマップを含む、Ｃ９１に記載の位置決めサーバ。
［Ｃ９３］
位置決めサーバでメンテナンスを実行するための方法であって、
ＡＤデータベースからヒートマップを含む支援データ（ＡＤ）を取得することと、
物理的なアクセスポイントごとに１つのヒートマップだけを維持し、前記物理的なアクセスポイントに関連する個々の仮想アクセスポイントに関する以前に存在した冗長なヒートマップを削除することによって、ＡＤサイズを低減することと
を備える方法。
［Ｃ９４］
前記仮想アクセスポイントが個々のヒートマップを有するかどうかを決定することと、
同じ物理的なアクセスポイントに属する仮想アクセスポイントにわたって送信電力差を推定し、前記ＡＤデータベースに前記送信電力差のデータを記述するデータを追加することと
をさらに備えるＣ９３に記載の方法。
［Ｃ９５］
サーバによって受信された仮想アクセスポイントリストが、ＷｉＦｉアクセスポイントデータベースに記憶されているものに一致するＭＡＣアドレスを有さず、ＡＤ生成のための情報を有する場合、前記ＷｉＦｉアクセスポイントデータベースに新しいアクセスポイントデータを記憶することと、
前記新しく記憶されたアクセスポイントデータに関するヒートマップを作成することと、
前記ＡＤデータベースに前記ヒートマップを記憶することと
をさらに備えるＣ９３に記載の方法。
［Ｃ９６］
メモリと、
前記メモリに結合され、
ＡＤデータベースからヒートマップを含む支援データ（ＡＤ）を取得することと、
物理的なアクセスポイントごとに１つのヒートマップだけを維持し、前記物理的なアクセスポイントに関連する個々の仮想アクセスポイントに関する以前に存在した冗長なヒートマップを削除することによって、ＡＤサイズを低減することと
を行うように構成されたプロセッサと
を備える位置決めサーバ。
［Ｃ９７］
前記プロセッサは、
前記仮想アクセスポイントが個々のヒートマップを有するかどうかを決定することと、
同じ物理的なアクセスポイントに属する仮想アクセスポイントにわたって送信電力差を推定し、前記ＡＤデータベースに前記送信電力差のデータを記述するデータを追加することと
を行うようにさらに構成される、Ｃ９６に記載の位置決めサーバ。
［Ｃ９８］
前記プロセッサは、
サーバによって受信された仮想アクセスポイントリストが、ＷｉＦｉアクセスポイントデータベースに記憶されているものに一致するＭＡＣアドレスを有さず、ＡＤ生成のための情報を有する場合、前記ＷｉＦｉアクセスポイントデータベースに新しいアクセスポイントデータを記憶することと、
前記新しいアクセスポイントデータに関するヒートマップを作成することと、
前記ＡＤデータベースに前記ヒートマップを記憶することと
を行うようにさらに構成される、Ｃ９６に記載の位置決めサーバ。
［Ｃ９９］
１つまたは複数のプロセッサによって取得および実行されるために、そこに記憶されたプロセッサで実行可能な命令を備える非一時的コンピュータ可読媒体であって、前記プロセッサで実行可能な命令は、
ＡＤデータベースからヒートマップを含む支援データ（ＡＤ）を取得することと、
アクセスポイントごとに１つだけのヒートマップを維持し、前記物理的なアクセスポイントに関連する個々の仮想アクセスポイントに関する以前に存在した冗長なヒートマップを削除することによって、ＡＤサイズを低減することと
を行うための命令を含む、非一時的コンピュータ可読媒体。
［Ｃ１００］
前記プロセッサで実行可能な命令は、
前記仮想アクセスポイントが個々のヒートマップを有するかどうかを決定することと、
同じアクセスポイントに属する仮想アクセスポイントにわたって送信電力差を推定し、前記ＡＤデータベースに前記送信電力差のデータを記述するデータを追加することとを行うための命令をさらに含む、Ｃ９９に記載の非一時的コンピュータ可読媒体。
［Ｃ１０１］
前記プロセッサで実行可能な命令は、
サーバによって受信された仮想アクセスポイントリストが、ＷｉＦｉアクセスポイントデータベースに記憶されたものに一致するＭＡＣアドレスを有さず、ＡＤ生成のための情報を有する場合、前記ＷｉＦｉアクセスポイントデータベースに新しいアクセスポイントデータを記憶することと、
前記新しく記憶されたアクセスポイントデータに関するヒートマップを作成することと、
前記ＡＤデータベースに前記ヒートマップを記憶することと
を行うための命令をさらに含む、Ｃ９９に記載の非一時的コンピュータ可読媒体。
［Ｃ１０２］
ＡＤデータベースからヒートマップを含む支援データ（ＡＤ）を取得するための手段と、
アクセスポイントごとに１つだけのヒートマップを維持し、物理的なアクセスポイントに関連する個々の仮想アクセスポイントに関する以前に存在した冗長なヒートマップを削除することによって、ＡＤサイズを低減するための手段と
を備える位置決めサーバ。
［Ｃ１０３］
前記仮想アクセスポイントが個々のヒートマップを有するかどうかを決定するための手段と、
同じアクセスポイントに属する仮想アクセスポイントにわたって送信電力差を推定し、前記ＡＤデータベースに前記送信電力差のデータを記述するデータを追加するための手段と
をさらに備えるＣ１０２に記載の位置決めサーバ。
［Ｃ１０４］
サーバによって受信された仮想アクセスポイントリストが、ＷｉＦｉアクセスポイントデータベースに記憶されているものに一致するＭＡＣアドレスを有さず、ＡＤ生成のための情報を有する場合、前記ＷｉＦｉアクセスポイントデータベースに新しいアクセスポイントデータを記憶するための手段と、
前記新しく記憶されたアクセスポイントデータに関するヒートマップを作成するための手段と、
前記ＡＤデータベースに前記ヒートマップを記憶するための手段と
をさらに備えるＣ１０２に記載の位置決めサーバ。